(57)【要約】【課題】本発明の目的は、長尺物の切断方向を安定して切断でき、長尺物が縦裂けしにくい切断端を形成できる包装容器を提供することである。【解決手段】本発明に係る包装容器１００は、容器本体１０と、蓋体２０と、切断手段３０と、を備える包装容器において、切断手段３０の刃部３１が、蓋前面板２２の下端辺２２ｂの少なくとも一方の端部に設けられ、容器本体１０又は蓋体２０の少なくともいずれか一方が、長尺物１の切断時に、長尺物１の動きを制御する補助手段５０（５１，５２，５３，５４）を有する。【選択図】図１
2014034420.tif 000002
【特許請求の範囲】
【請求項１】
矩形の本体底面板と、該本体底面板の長辺に立設された本体前面板及び本体後面板と、前記本体底面板の短辺に立設された本体左側面板及び本体右側面板と、を有し、前記本体前面板の上端辺、前記本体後面板の上端辺、前記本体左側面板の上端辺及び前記本体右側面板の上端辺が上面開口部を形成し、長尺物がロール状に巻回されたロール体を収容する容器本体と、
前記本体後面板の上端辺に回動可能に連接され、前記容器本体の上面開口部を閉鎖時に覆う天面板と、該天面板に連接され、前記本体前面板の外側に重ねて配置される蓋前面板と、を有する蓋体と、
前記ロール体から繰り出され、前記本体前面板と前記蓋前面板との間から引き出された長尺物を切断する切断手段と、
を備える包装容器において、
前記切断手段の刃部が、前記蓋前面板の下端辺の少なくとも一方の端部に設けられ、
前記容器本体又は前記蓋体の少なくともいずれか一方が、前記長尺物の切断時に、該長尺物の動きを制御する補助手段を有することを特徴とする包装容器。
【請求項２】
前記補助手段は、（１）前記上面開口部の長手方向の両端部に設けた押え板、（２）滑り防止手段、（３）前記蓋前面板の下端部を外側に折り曲げて形成した鍔部又は（４）前記蓋前面板の下端辺のうち前記刃部が設けられていない下端辺に接する又は挿し込まれる、前記本体前面板に設けた段差部の（１）〜（４）の少なくとも１種であることを特徴とする請求項１に記載の包装容器。
【請求項３】
前記滑り防止手段が、前記本体前面板の上方部、前記本体前面板の上端辺又は前記本体前面板に設置したフラップの少なくともいずれか一つに設けられたことを特徴とする請求項２に記載の包装容器。
【請求項４】
前記補助手段として、（４）前記蓋前面板の下端辺のうち前記刃部が設けられていない下端辺に接する又は挿し込まれる、前記本体前面板に設けた段差部、及び、（１）前記上面開口部の長手方向の両端部に設けた押え板又は（２）滑り防止手段の少なくともいずれか一方を有することを特徴とする請求項１〜３のいずれか一つに記載の包装容器。
【請求項５】
前記補助手段として、（１）前記上面開口部の長手方向の両端部に設けた押え板又は（２）滑り防止手段及び（３）前記蓋前面板の下端部を外側に折り曲げて形成した鍔部を有することを特徴とする請求項１〜３のいずれか一つに記載の包装容器。
【請求項６】
前記押え板は、前記上面開口部を形成する辺のうち少なくとも２辺に連接又は係止されていることを特徴とする請求項２〜５のいずれか一つに記載の包装容器。
【請求項７】
前記押え板が、前記本体前面板の上端辺に連接し、かつ、該連接する辺に対向する辺に連接する差込片を有し、該差込片を前記本体後面板の内側に差込んで係止することを特徴とする請求項２〜６のいずれか一つに記載の包装容器。
【請求項８】
前記長尺物が、ラップフィルムであることを特徴とする請求項１〜７のいずれか一つに記載の包装容器。
【請求項９】
前記ラップフィルムが、ポリ塩化ビニリデンフィルムであることを特徴とする請求項８に記載の包装容器。
【発明の詳細な説明】
【技術分野】
【０００１】
本発明は、ロール状に巻回された長尺物を容器から引き出して切断しつつ包装を行うための包装容器に関し、特に、刃部を部分的に設けた包装容器に関する。
【背景技術】
【０００２】
ロール状に巻回された長尺物を、容器から所定の長さだけを引き出して、容器の蓋を閉じた状態で、蓋体に設けられた切断手段で切断しつつ、包装を行うことができる包装容器が知られている。切断手段は、鋸歯状の刃部を有する切断刃であり、通常、刃部は蓋前面板の下端辺の全幅にわたって設けられる。
【０００３】
切断手段の安全性に考慮して、刃部を、蓋前面板の下端辺の両端部だけに設けたラップフィルム収容箱が提案されている（例えば、特許文献１を参照。）。また、横方向の引き裂け性を付与したフィルムと、蓋前面板の下端辺の両端部だけに設けた刃部とを組み合わせることによって、フィルムが斜め裂けすることなく、横方向に切断できるカートン入り包装用フィルムが提案されている（例えば、特許文献２を参照。）。
【先行技術文献】
【特許文献】
【０００４】
【特許文献１】特開２００６−２９８３９６号公報
【特許文献２】特開平６−２９３３３５号公報
【発明の概要】
【発明が解決しようとする課題】
【０００５】
鋸歯状の刃部で切断した長尺物の切断端の形状は、鋸歯状となる。このため、鋸歯の刻み目を起点として長尺物がＭＤ（Ｍａｃｈｉｎｅ  Ｄｉｒｅｃｔｉｏｎ）方向（縦方向ともいう。）に裂ける、所謂縦裂けが起こる場合がある。縦裂けがロール体側に残った長尺物で発生すると、切断端が容器内に巻き戻り、再度使用する時に切断端を探して引き出す動作は煩雑なものとなる。また、縦裂けがロール体から分離した長尺物で発生すると、適切な包装ができない。縦裂けの問題は、特許文献１又は２のように、刃部を蓋前面板の下端辺に部分的に設けることで改善できる。しかし、特許文献１のように、刃部を、蓋前面板の下端辺の両端部だけに設けただけでは、切断時に長尺物の切断方向が定まらず、斜めに切断されると、切断端が容器内に引き込まれる場合がある。また、特許文献２では、使用できる長尺物が、横方向に裂け易い特性を有するものに限られる。
【０００６】
本発明の目的は、長尺物の切断方向を安定して切断でき、長尺物が縦裂けしにくい切断端を形成できる包装容器を提供することである。
【課題を解決するための手段】
【０００７】
本発明に係る包装容器は、矩形の本体底面板と、該本体底面板の長辺に立設された本体前面板及び本体後面板と、前記本体底面板の短辺に立設された本体左側面板及び本体右側面板と、を有し、前記本体前面板の上端辺、前記本体後面板の上端辺、前記本体左側面板の上端辺及び前記本体右側面板の上端辺が上面開口部を形成し、長尺物がロール状に巻回されたロール体を収容する容器本体と、前記本体後面板の上端辺に回動可能に連接され、前記容器本体の上面開口部を閉鎖時に覆う天面板と、該天面板に連接され、前記本体前面板の外側に重ねて配置される蓋前面板と、を有する蓋体と、前記ロール体から繰り出され、前記本体前面板と前記蓋前面板との間から引き出された長尺物を切断する切断手段と、を備える包装容器において、前記切断手段の刃部が、前記蓋前面板の下端辺の少なくとも一方の端部に設けられ、前記容器本体又は前記蓋体の少なくともいずれか一方が、前記長尺物の切断時に、該長尺物の動きを制御する補助手段を有することを特徴とする。
【０００８】
本発明に係る包装容器では、前記補助手段は、（１）前記上面開口部の長手方向の両端部に設けた押え板、（２）滑り防止手段、（３）前記蓋前面板の下端部を外側に折り曲げて形成した鍔部又は（４）前記蓋前面板の下端辺のうち前記刃部が設けられていない下端辺に接する又は挿し込まれる、前記本体前面板に設けた段差部の（１）〜（４）の少なくとも１種であることが好ましい。長尺物をより安定して切断することができる。また、大幅な設計変更を必要とせず、既存の製作ラインを活用できる。
【０００９】
本発明に係る包装容器では、前記滑り防止手段が、前記本体前面板の上方部、前記本体前面板の上端辺又は前記本体前面板に設置したフラップの少なくともいずれか一つに設けられることが好ましい。長尺物の引き出し操作を容易にしつつ、かつ、切断時の長尺物の動きを抑制し、より安定して切断することができる。
【００１０】
本発明に係る包装容器では、前記補助手段として、（４）前記蓋前面板の下端辺のうち前記刃部が設けられていない下端辺に接する又は挿し込まれる、前記本体前面板に設けた段差部、及び、（１）前記上面開口部の長手方向の両端部に設けた押え板又は（２）滑り防止手段の少なくともいずれか一方を有することが好ましい。長尺物の切断時の抵抗をより少なくすることができる。
【００１１】
本発明に係る包装容器では、前記補助手段として、（１）前記上面開口部の長手方向の両端部に設けた押え板又は（２）滑り防止手段及び（３）前記蓋前面板の下端部を外側に折り曲げて形成した鍔部を有することが好ましい。長尺物の切断時の抵抗をより少なくすることができる。
【００１２】
本発明に係る包装容器では、前記押え板は、前記上面開口部を形成する辺のうち少なくとも２辺に連接又は係止されていることが好ましい。切断時の長尺物の動きを抑制し、より安定して切断することができる。
【００１３】
本発明に係る包装容器では、前記押え板が、前記本体前面板の上端辺に連接し、かつ、該連接する辺に対向する辺に連接する差込片を有し、該差込片を前記本体後面板の内側に差込んで係止することが好ましい。切断時の長尺物の動きを抑制し、より安定して切断することができる。
【００１４】
本発明に係る包装容器では、前記長尺物が、ラップフィルムである形態を包含する。
【００１５】
本発明に係る包装容器では、前記ラップフィルムが、ポリ塩化ビニリデンフィルムであることが好ましい。ポリ塩化ビニリデンフィルムは縦裂けが起こりやすいが、それを防止することができる。
【発明の効果】
【００１６】
本発明は、長尺物の切断方向を安定して切断でき、長尺物が縦裂けしにくい切断端を形成できる包装容器を提供することができる。
【図面の簡単な説明】
【００１７】
【図１】本実施形態に係る包装容器の第一例を示す斜視図である。
【図２】本実施形態に係る包装容器の第二例を示す斜視図である。
【図３】図２のＸ−Ｘ断面図である。
【図４】別形態の押え板を有する包装容器の断面図である。
【図５】別形態の段差部を有する包装容器の断面図である。
【図６】鍔部を有する包装容器の断面図である。
【図７】切断性評価に用いる基本の包装容器を示す斜視図である。
【発明を実施するための形態】
【００１８】
以下本発明について実施形態を示して詳細に説明するが本発明はこれらの記載に限定して解釈されない。本発明の効果を奏する限り、実施形態は種々の変形をしてもよい。
【００１９】
図１は、本実施形態に係る包装容器の第一例を示す斜視図である。本実施形態に係る包装容器１００は、矩形の本体底面板１１と、本体底面板１１の長辺に立設された本体前面板１２及び本体後面板１３と、本体底面板１１の短辺に立設された本体左側面板１４及び本体右側面板１５と、を有し、本体前面板１２の上端辺１２ａ、本体後面板１３の上端辺１３ａ、本体左側面板１４の上端辺１４ａ及び本体右側面板１５の上端辺１５ａが上面開口部１６を形成し、長尺物１がロール状に巻回されたロール体４０を収容する容器本体１０と、本体後面板１３の上端辺１３ａに回動可能に連接され、容器本体１０の上面開口部１６を閉鎖時に覆う天面板２１と、天面板２１に連接され、本体前面板１２の外側に重ねて配置される蓋前面板２２と、を有する蓋体２０と、ロール体４０から繰り出され、本体前面板１２と蓋前面板２２との間から引き出された長尺物１を切断する切断手段３０と、を備える包装容器において、切断手段３０の刃部３１が、蓋前面板２２の下端辺２２ｂの少なくとも一方の端部に設けられ、容器本体１０又は蓋体２０の少なくともいずれか一方が、長尺物１の切断時に、長尺物１の動きを制御する補助手段５０（５１，５２，５３，５４）を有する。
【００２０】
長尺物１は、例えば、ラップフィルム、アルミニウム箔、加熱調理用の紙シートである。ラップフィルムは、例えば、ポリ塩化ビニリデンフィルム、ポリ塩化ビニルフィルム、ポリエチレンフィルム、ポリプロピレンフィルム、ポリメチルペンテンフィルム、ポリエステルフィルム、エチレン酢酸ビニル共重合体フィルムである。このうち、ポリ塩化ビニリデンフィルムであることがより好ましい。ポリ塩化ビニリデンフィルムは縦裂けが起こりやすいが、それを防止することができる。また、ラップフィルムには、可塑剤、安定化剤などの各種助剤を含有する形態を包含する。加熱調理用の紙シートは、紙基材の片面又は両面にシリコン樹脂加工又はフッ素樹脂加工を施したシートである。長尺物１は、単層であるか、又は積層であるかを問わない。長尺物１の厚さは、特に限定されないが、ラップフィルムの場合には、一般に、５〜２０μｍである。
【００２１】
包装容器１００は、厚紙、プラスチックなどの板材で形成されている。板材の厚さは、特に限定されないが、一般に０．４５〜０．７０ｍｍである。容器本体１０は、矩形の本体底面板１１の各辺に立設された本体前面板１２、本体後面板１３、本体左側面板１４及び本体右側面板１５によって形成された上面開口部１６を有する横長の略直方体形状の箱である。蓋体２０は、本体後面板１３の上端辺に回動可能に一体に設けられる。閉鎖時には、天面板２１が上面開口部１６を覆い、蓋前面板２２が本体前面板１２の外側に重ねて配置される。蓋前面板２２の下端辺２２ｂは、図１に示すように、直線形状であることが好ましい。また、蓋体２０は、閉鎖時に、本体左側面板１４又は本体右側面板１５の外側にそれぞれ配置される、蓋左側面板２４及び蓋右側面板２５を有していてもよい。
【００２２】
切断手段３０は、刃部３１を有する切断刃である。刃部３１は、図１に示すように、鋸歯状であることが好ましい。刃部３１は、蓋前面板２２の下端辺２２ｂの少なくとも一方の端部に設けられる。より好ましくは、図１に示すように、刃部３１を、蓋前面板２２の下端辺２２ｂの両端部に設ける。刃部３１を両端部に設ける場合、切断手段は、図１に示すように、２つの短い切断刃を各端部に別個に設置するか、又は蓋前面板２２の下端辺２２ｂの全幅に相当する長さを有し、刃部を両端部だけに設けた切断刃（不図示）を１つ設置してもよい。切断手段３０の材質は、特に限定されないが、例えば、厚紙、プラスチック、金属である。本実施形態では、刃部３１で長尺物１の端部に裂け目を入れ、その後の切断は引き裂け伝播で行う。
【００２３】
補助手段５０は、（１）上面開口部１６の長手方向（図１のＷ−Ｗ´方向）の両端部に設けた押え板５１、（２）滑り防止手段５２、（３）蓋前面板２２の下端部を外側に折り曲げて形成した鍔部５３又は（４）蓋前面板２２の下端辺２２ｂのうち刃部３１が設けられていない下端辺に接する、本体前面板１２に設けた段差部５４の（１）〜（４）の少なくとも１種であることが好ましい。これらの補助手段５０は、従来の包装容器に対して、大幅な設計変更を必要としないため、既存の製作ラインを活用できる。補助手段５０は、長尺物１の切断時に、長尺物１の動きを制御する手段であり、作用面から、切断時に長尺物１の動きを抑える抑制型と、切断時の長尺物１の引き裂き方向をＴＤ（Ｔｒａｂｓｖｅｒｓｅ  Ｄｉｒｅｃｔｉｏｎ）方向（以降、横方向ということもある。）に誘導する誘導型とに分類できる。いずれの型も、長尺物１の横方向への引き裂け伝播を助長して縦裂けを防止する効果を奏する。（１）押え板５１は抑制型に属する。（２）滑り防止手段５２は抑制型に属する。（３）鍔部５３は誘導型に属する。（４）段差部５４は抑制型及び誘導型の両方に属する。
【００２４】
図１では、一例として（１）〜（４）のすべてを有する形態を示したが、これに制限されず、（１）だけ、（２）だけ、（３）だけ若しくは（４）だけを有する形態としてもよい。また、本実施形態に係る包装容器１００は、補助手段５０を２種以上有することが好ましい。２種以上の補助手段５０を組み合わせることで、１種だけを有する場合よりも切断方向の安定性が向上する。補助手段５０の組み合わせは、例えば、（１）＋（２）、（１）＋（３）、（１）＋（４）、（２）＋（３）、（２）＋（４）、（３）＋（４）、（１）＋（２）＋（３）、（１）＋（２）＋（４）、（１）＋（３）＋（４）、（２）＋（３）＋（４）、（１）＋（２）＋（３）＋（４）である。ただし、これらはあくまでも例示であって、本発明はこれらのみに限定されるものではない。このうち、（１）＋（３）、（１）＋（４）、（２）＋（３）、（２）＋（４）、（３）＋（４）、（１）＋（２）＋（４）又は（１）＋（２）＋（３）がより好ましく、（１）＋（４）、（２）＋（４）、（１）＋（２）＋（４）又は（１）＋（２）＋（３）が特に好ましい。これらの組み合わせは、長尺物１の切断時の抵抗を特に少なくすることができる。図２は、本実施形態に係る包装容器の第二例を示す斜視図である。図３は、図２のＸ−Ｘ断面図である。第二例の包装容器１０１は、補助手段５０の組み合わせが、（１）＋（２）＋（４）の形態である。
【００２５】
次に、各補助手段５０（５１，５２，５３，５４）について説明する。
【００２６】
（１）押え板
押え板５１は、少なくとも上面開口部１６の長手方向（図１のＷ−Ｗ´方向）の両端部に設けられる。より好ましくは、図１又は図２に示すように、上面開口部１６の長手方向（図１のＷ−Ｗ´方向）の全幅にわたって設ける。押え板５１を有することで、図３に示すように、長尺物１は押え板５１と天面板２１との間を経由して、本体前面板１２と蓋前面板２２との間から引き出される。このため、押え板５１を設けない場合と比較して、長尺物１が包装容器の外に引き出されるまでの包装容器内での経路が延長されるため、切断時に長尺物１がずり出しにくくなり、切断方向の安定性を高めることができる。
【００２７】
図１又は図２では、一例として押え板５１が本体前面板１２の上端辺１２ａに連接する形態（図３を参照。）を示したが、本発明はこれに制限されない。例えば、押え板５１は、押え板５１に設けた係止片（不図示）を本体前面板１２の上端辺１２ａに係止して取り付けてもよい。また、押え板５１は、上面開口部１６を形成する辺のうち、本体前面板１２の上端辺１２ａ以外の辺、すなわち、本体後面板１３の上端辺１３ａ、本体左側面板１４の上端辺１４ａ又は本体右側面板１５の上端辺１５ａに連接又は係止してもよい。より好ましい形態としては、押え板５１が、上面開口部１６を形成する辺のうち少なくとも２辺に連接又は係止されている形態である。押え板５１自体の動きが固定されるため、切断時の長尺物１の動きをより確実に抑制することができ、切断方向の安定性を高めることができる。
【００２８】
図４は、別形態の押え板を有する包装容器の断面図である。図４は、図２のＸ−Ｘに相当する位置の断面図である。押え板５１０は、図４に示すように、本体前面板１２の上端辺１２ａに連接し、かつ、連接する辺に対向する辺に連接する差込片５１１を有し、差込片５１１を本体後面板１３の内側に差込んで係止することが好ましい。この押え板５１０は上面開口部１６を覆い、長尺物１は押え板５１０を切り抜いて形成したスリット状の穴ｓを通り、押え板５１０と天面板２１との間を経由して、本体前面板１２と蓋前面板２２との間から引き出される。長尺物１が包装容器の外に引き出されるまでの包装容器内での経路が更に延長されるため、切断時に長尺物１が更にずり出しにくくなり、切断方向の安定性をより高めることができる。スリット状の穴ｓの形状は、例えば、上面開口部１６の長手方向（図１のＷ−Ｗ´方向）にわたって幅を一定とした長方形とするか、又は変形形状としてもよい。変形形状は、例えば、上面開口部１６の長手方向（図１のＷ−Ｗ´方向）の中央部に幅広な部分を設けた形態である。
【００２９】
押え板５１，５１０の表面の一部又は全面に、長尺物１に密着又は粘着して動きを抑制する防滑部（不図示）を設けてもよい。防滑部は、例えば、粘着剤、防滑ニスなどの塗布層、最表層として粘着剤、防滑ニスなどからなる防滑層を有するラベルである。また、長尺物１がポリ塩化ビニリデンフィルムである場合、ポリ塩化ビニリデンフィルムのもつ自己密着性を利用して、防滑部が、最表層としてポリ塩化ビニリデンフィルム層を有するラベルであってもよい。
【００３０】
（２）滑り防止手段
滑り防止手段５２は、長尺物１に密着又は粘着して、動きを抑制するものであり、例えば、粘着剤、防滑ニスなどの塗布層、最表層として粘着剤、防滑ニスなどからなる防滑層を有するラベルである。また、長尺物１がポリ塩化ビニリデンフィルムである場合、ポリ塩化ビニリデンフィルムのもつ自己密着性を利用して、滑り防止手段５２が、最表層としてポリ塩化ビニリデンフィルム層を有するラベルであってもよい。
【００３１】
滑り防止手段５２は、本体前面板１２の上方部、本体前面板１２の上端辺１２ａ又は本体前面板１２に設置したフラップ（不図示）の少なくともいずれか一つに設けられることが好ましい。滑り防止手段５２を、これらのいずれか一つに設けることで、長尺物１を引き出し時には長尺物１の動きを阻害することなく、長尺物１を切断時には長尺物１の動きを抑制して、より安定して切断することができる。本体前面板１２の上方部は、本体前面板１２の表面のうち、蓋前面板２２と重なる領域である。本体前面板１２に設置したフラップ（不図示）は、本体前面板１２に連接し、容器本体１０の外側に突出させた部分である。図１では、一例として本体前面板１２の上方部の一部に設けた形態を示したが、これに限定されない。例えば、滑り防止手段５２を、本体前面板１２の上方部の全面に設ける、本体前面板１２の上端辺１２ａだけに設ける、本体前面板１２に設置したフラップ（不図示）だけに設ける、又は本体前面板１２の上方部及び上端辺１２ａの両方に設けてもよい。本体前面板１２の長手方向（図１のＷ−Ｗ´方向）における、滑り防止手段５２を設ける領域は、少なくとも長尺物１の幅方向（図１のＷ−Ｗ´方向）の片端部又は両端部が接する領域であることが好ましい。より好ましくは、図１又は図２に示すように、長尺物１の幅方向（図１のＷ−Ｗ´方向）の全体が接する領域である。
【００３２】
（４）段差部
段差部５４は、図２に示すように、前面板２２の下端辺２２ｂのうち刃部３１が設けられていない下端辺に接し、本体前面板１２の外側に設けられた突部である。段差部５４は、蓋前面板２２の下端辺２２ｂのうち刃部３１が設けられていない下端辺の全長Ｌ１の５０％以上に接することが好ましく、８０％以上に接することがより好ましく、１００％に接することが特に好ましい。
【００３３】
段差部５４は、本体前面板１２の外側に板状部材を固定して設けるか、又は本体前面板１２に、外側に凸のエンボス加工をして設けてもよい。図３では、一例として板状部材として、例えば厚紙を本体前面板１２の外側表面に貼り合せて設けた形態を示した。本発明は、板状部材の材質に制限されない。段差部５４は、図３に示すように、蓋体２０を閉めると、蓋前面板２２の下端辺２２ｂのうち刃部３１が設けられていない下端辺に当接し、長尺物１が段差部５４の上端辺５４ａと蓋前面板２２の下端辺２２ｂとの間に挟持される。このため、切断時に長尺物１の動きを抑制し、かつ、長尺物１の引き裂き方向を横方向に誘導して、切断方向の安定性を高めることができる。
【００３４】
図５は、別形態の段差部を有する包装容器の断面図である。図５は、図２のＸ−Ｘに相当する位置の断面図である。段差部５４０は、図５に示すように、蓋体２０を閉じた時に蓋前面板２２の下端辺２２ｂのうち刃部３１が設けられていない下端辺よりも上方に延出する延出片５４１を更に有することが好ましい。延出片５４１は、図５に示すように、罫線５４２を設けて外側に折り曲げて形成するか、又は罫線を設けずに連続的に設けてもよい。蓋体２０を閉じた時、蓋前面板２２を本体前面板１２と延出片５４１との間に差込むことで、長尺物１を延出片５４１と蓋前面板２２の下端辺２２ｂとの間で安定的に挟持することができ、切断時に長尺物１の動きをより確実に抑制することができる。また、長尺物１の引き裂き方向を横方向により確実に誘導することができる。
【００３５】
（３）鍔部
図６は、鍔部を有する包装容器の断面図である。図６は、図２のＸ−Ｘに相当する位置の断面図である。鍔部５３は、蓋前面板２２の下端部を外側に折り曲げて形成した部分である。鍔部５３を有することで、図６に示すように、切断時に長尺物１が鍔部５３に添うので、引き裂き伝播時の長尺物のベクトルが安定し、切断方向の安定性を高めることができる。鍔部５３は、蓋前面板２２の長手方向（図１のＷ−Ｗ´方向）の全幅にわたって設けることが好ましい。鍔部５３の鍔幅Ｆ１は、１〜５ｍｍであることが好ましく、２〜４ｍｍであることがより好ましい。
【００３６】
図２に示す包装容器を参照して、切断方法について説明する。まず、一方の手で包装容器１０１を把持し、他方の手で所望の長さの長尺物１を引き出し、蓋体２０を閉める。長尺物１を持つ手は固定したまま、包装容器１０１の端部に設けた切断手段３０の刃部３１の一つ（例えば、本体右側面板１５側の刃部）を、引き出した長尺物１に当てて長尺物１の一端部に裂け目を入れ、長尺物１を一端から他端に向けて、引き裂け伝播で順次切断する。包装容器１０１側に残った長尺物１の切断端１ａの位置は、蓋体２０を閉じた状態での蓋前面板２２の下端辺２２ｂの位置（以降、基準線Ｏという。）上にあるか、又は基準線Ｏよりも本体底面板１１側にあることが好ましい。包装容器１０１側に残った長尺物１の切断端１ａの位置が、基準線Ｏ上又は基準線Ｏよりも本体底面板１１側にあることで、基準線Ｏよりも上面開口部１６側にある場合よりも、切断時の抵抗を小さくすることができる。
【実施例】
【００３７】
次に、本発明の実施例を挙げて説明するが、本発明はこれらの例に限定されるものではない。
【００３８】
図７は、切断性評価に用いる基本の包装容器を示す斜視図である。基本の包装容器９００として、図７に示す包装容器を用意した。この基本の包装容器９００は、厚さ０．７ｍｍの厚紙からなり、外形が、幅ｗ１が３１５ｍｍ、奥行きｄ１が４４ｍｍ及び高さｈ１が４４ｍｍの略直方体形状である。そして、切断手段３０として幅ｗ２が２０ｍｍの鋸歯状の刃部３１を有する切断刃が、蓋前面板２２の下端辺２２ｂの両端部にそれぞれ取り付けられている。長尺物１としては、厚さ１０μｍ、幅ｗ３が３０ｃｍのポリ塩化ビニリデンフィルムを用いた。基本の包装容器９００に、表１に示す１つ又は２つ以上の補助手段を取り付けた包装容器を実施例１〜１４とした。
【００３９】
各補助手段は、次のものを用いた。
【００４０】
（１）押え板は、３１３ｍｍ×２０ｍｍの長方形の厚紙（厚さ０．７ｍｍ）を、包装容器９００の本体前面板１２の上端辺１２ａに沿わせて配置し、本体左側面板１４の上端辺１４ａ及び本体右側面板１５の上端辺１５ａに固定した。
【００４１】
（２）滑り防止手段は、３１０ｍｍ×２０ｍｍの長方形で、最表層に防滑層を有するラベル（以降、ストッパーラベルということもある。）を、包装容器９００の本体前面板１２に、上端辺１２ａに沿って貼り付けた。
【００４２】
（３）鍔部は、包装容器９００の蓋前面板２２の下端部を、蓋前面板２２の長手方向（図７のＷ−Ｗ´方向）の全幅にわたって外側に折り曲げて形成した。鍔部の鍔幅は３ｍｍとした。
【００４３】
（４）段差部は、２７０ｍｍ×２０ｍｍの長方形の厚紙（厚さ０．７ｍｍ）を、蓋体２０を閉じた時に蓋前面板２２の下端辺２２ｂのうち刃部３１が設けられていない下端辺に、段差部の上端辺が当接するように、本体前面板１２に固定した。
【００４４】
（５）滑り防止手段付きフラップとして、本体前面板１２の上端辺１２ａに連接し、容器本体１０の外側に突出させたフラップを形成し、このフラップに（２）滑り防止手段として用いたストッパーラベルを貼付けた。
【００４５】
（切断性評価）
実施例１〜１４の包装容器及び補助手段を取り付けていない基本の包装容器９００（比較例１）について、次に示す方法で、長尺物の切断性評価を行った。まず、一方の手で包装容器を把持し、他方の手で長尺物を３０ｃｍ引き出し、蓋体を閉めた。長尺物を持つ手は固定したまま、包装容器の端部に設けた切断手段の刃部のうち、本体右側面板側の刃部を、引き出した長尺物に当てて長尺物の一端部に裂け目を入れ、長尺物を一端から他端に向けて、引き裂け伝播で順次切断した。長尺物を切断後、蓋体を開き、包装容器側に残った長尺物の切断端について、基準線Ｏからの変位量のうち、最大値を記録した。変位量は、基準線Ｏ上を０とし、基準線Ｏよりも本体底面板１１側であるときを＋の変位量、上面開口部１６側であるときを−の変位量で示した。切断操作を２０回行い、各回の変位量の最大値の平均値を表１に示す。
【００４６】
切断性評価の評価基準は、評価が高い方から順に次のとおりである。評価の順位が高いほど、切断時の抵抗が小さい傾向にある。
１．変位量が０ｍｍである（実用レベル）。
２．変位量が＋で、かつ、変位量の絶対値が０ｍｍを超え１０ｍｍ以下である（実用レベル）。
３．変位量が＋で、かつ、変位量の絶対値が１０ｍｍを超える（実用レベル）。
４．変位量が−で、かつ、変位量の絶対値が０ｍｍを超え１０ｍｍ以下である（実用レベル）。
５．変位量が−で、かつ、変位量の絶対値が１０ｍｍを超え２２ｍｍ以下である（実用下限レベル）。
６．変位量が−で、かつ、変位量の絶対値が２２ｍｍを超える（実用不適レベル）。
【００４７】
【表１】
2014034420.tif 000003
【００４８】
表１より、実施例１〜５と比較例１とを比較すると、補助手段（１）〜（５）のいずれか一つを有することで、補助手段を一つも有さない場合と比較して、切断端の基準線Ｏに対する変位量が小さくなることが確認できた。また、実施例１〜５と実施例６〜１４とを比較すると、補助手段（１）〜（５）のうち２つ以上を組み合わせることで、補助手段を一つだけ有する場合と比較して、切断端の基準線Ｏに対する変位量をより小さくできることが確認できた。さらに、補助手段（１）＋（３）、（１）＋（４）、（２）＋（３）、（２）＋（４）、（１）＋（２）＋（３）又は（１）＋（２）＋（４）を組み合わせることで、切断端の基準線Ｏに対する変位量が＋値となり、切断時の抵抗を小さくすることができることが確認できた。
【符号の説明】
【００４９】
１  長尺物
１０  容器本体
１１  本体底面板
１２  本体前面板
１２ａ  本体前面板の上端辺
１３  本体後面板
１３ａ  本体後面板の上端辺
１４  本体左側面板
１４ａ  本体左側面板の上端辺
１５  本体右側面板
１５ａ  本体右側面板の上端辺
１６  上面開口部
２０  蓋体
２１  天面板
２２  蓋前面板
２２ｂ  蓋前面板の下端辺
２４  蓋左側面板
２５  蓋右側面板
３０  切断手段
３１  刃部
４０  ロール体
５０  補助手段
５１，５１０  押え板
５２  滑り防止手段
５３  鍔部
５４，５４０  段差部
１００，１０１，９００  包装容器
５１１  差込片
５４１  延出片
５４２  罫線
【図１】
2014034420.tif 000004
【図２】
2014034420.tif 000005
【図３】
2014034420.tif 000006
【図４】
2014034420.tif 000007
【図５】
2014034420.tif 000008
【図６】
2014034420.tif 000009
【図７】
2014034420.tif 000010